(57)【要約】【課題】複数の錠装置を自由に配置することのできる錠セットの提供を目的とする。【解決手段】施錠体１の動作に追随動作する動作部２を備えた複数の錠装置３と、可撓性を有する外部パイプ４内にワイヤ５を摺動自在に挿通させたケーブル６とを有し、錠装置３の動作部２間が前記ケーブル６のワイヤ５により連結され、少なくとも一の錠装置３への施錠体１の操作により残余の錠装置３の施錠体１が駆動される用に構成する。【選択図】　図１
2004124557.tif 000002
【特許請求の範囲】
【請求項１】
施錠体の動作に追随動作する動作部を備えた複数の錠装置と、
可撓性を有する外部パイプ内にワイヤを摺動自在に挿通させたケーブルとを有し、
錠装置の動作部間が前記ケーブルのワイヤにより連結され、少なくとも一の錠装置への施錠体の操作により残余の錠装置の施錠体が駆動される錠セット。
【請求項２】
前記施錠体は、施解錠状態いずれの状態においても一端部が錠ケースの側縁から突出するとともに、他側縁が錠ケース内方に収容されるように並進移動する板状部材であり、
かつ、前記動作部は、前記施錠体の施解錠状態の状態遷移に伴って回転する軸体への固定部に対して点対称位置に前記ワイヤの連結部を備えてレバー状に形成されるとともに、該動作部は、前記状態遷移時の回転角に等しい角度だけ軸体に対して装着姿勢可変に連結される請求項１記載の錠セット。
【発明の詳細な説明】
【０００１】
【発明の属する技術分野】
本発明は、錠セットに関するものである。
【０００２】
【従来の技術】
一の錠装置への操作により他の錠装置を施解錠操作することができる錠セットとしては、従来、特許文献１に記載されたものが知られている。
【０００３】
この従来例において、錠セットは、上中下３個のラッチ錠ユニットと、ラッチ錠ユニット間を連結する薄板状のジョイントプレートとを有する。中段のラッチ錠ユニットは、手動により操作可能であり、該ラッチ錠ユニットを操作すると、ラッチ錠ユニットの変位がジョイントプレートを介して上下段のラッチ錠ユニットに伝達され、上下段のラッチ錠ユニットも同時に施解錠操作される。
【０００４】
【特許文献１】
実用新案登録第３０６２５１９号公報
【０００５】
【発明が解決しようとする課題】
しかし、上述した従来例において、ラッチ錠ユニット間は板厚方向に対して直交方向への変形能が全くないジョイントプレートにより連結されているために、各々のラッチ錠ユニットの設置位置が限定されてしまうという欠点がある。
【０００６】
本発明は、以上の欠点を解消すべくなされたものであって、複数の錠装置を自由に配置することのできる錠セットの提供を目的とする。
【０００７】
【課題を解決するための手段】
本発明によれば上記目的は、
施錠体１の動作に追随動作する動作部２を備えた複数の錠装置３と、
可撓性を有する外部パイプ４内にワイヤ５を摺動自在に挿通させたケーブル６とを有し、
錠装置３の動作部２間が前記ケーブル６のワイヤ５により連結され、少なくとも一の錠装置３への施錠体１の操作により残余の錠装置３の施錠体１が駆動される錠セットを提供することにより達成される。
【０００８】
錠セットを構成する錠装置３は、例えばドア枠１１側のストライク１２に進退するデッドボルト等の施錠体１と、この施錠体１の動作に追随して変位する動作部２とを有し、動作部２同士がケーブル６のワイヤ５を介して連結される。
【０００９】
錠装置３のうち、少なくとも１個は、サムターン１３、シリンダ錠１４、あるいは駆動モータ等による施錠体１の操作が可能であり、このような主錠装置３への操作力はケーブル６を介して他の錠装置３（補助錠装置３’）に伝達され、補助錠装置３’の施解錠操作が行われる。
【００１０】
主錠装置３と補助錠装置３’とを可撓性を有するケーブル６により連結することによって、主錠装置３と補助錠装置３’の設置位置関係の自由度が高くなるために、ドア１５等の強度等を考慮して、必要な位置に錠装置３を設置することができる。
【００１１】
また、前記施錠体１は、施解錠状態いずれの状態においても一端部が錠ケース７の側縁から突出するとともに、他側縁が錠ケース７内方に収容されるように並進移動する板状部材であり、
かつ、前記動作部２は、前記施錠体１の施解錠状態の状態遷移に伴って回転する軸体８への固定部９に対して点対称位置に前記ワイヤ５の連結部１０を備えてレバー状に形成されるとともに、該動作部２は、前記状態遷移時の回転角に等しい角度だけ軸体８に対して装着姿勢可変に連結されるように構成した場合には、動作部２の装着姿勢を変更するだけで錠装置３の姿勢の変化に対することが可能になるために、部品の共用化が図られる。
【００１２】
【発明の実施の形態】
図１に本発明の実施の形態を示す。この実施の形態において、錠セットは、利用者によって直接施解錠操作が行われる１個の主錠装置３と、この主錠装置３に連動して施解錠動作が行われる１個の補助錠装置３’とから構成される。利用者による直接の操作を可能にするために、主錠装置３には、ドア１５の室内側壁面に配置されるサムターン１３と、ドア１５の室外側壁面に配置されるシリンダ錠１４が装着される。なお、図１において１６は補助錠装置３’をドア１５に固定するためのアタッチメントプレートを示す。
【００１３】
図２、３に示すように、主錠装置３は、直方体状の錠ケース７と、錠ケース７の短辺方向（以下、「横方向」）に移動自在なデッドボルト（施錠体１）とを有し、デッドボルト１の表裏には、一対のレバー片１７、１７’が配置される。これらレバー片１７、１７’は連結ピン１７ａを介して連結され、一方のレバー片１７には錠ケース７に回転自在に装着されるサムターン１３が、他方のレバー片１７’には軸体８が各々連結される。この軸体８には、上記サムターン１３の回転中心Ｃと同軸周りに回転する上記シリンダ錠１４のロータ（図示せず）が連結される。
【００１４】
上記デッドボルト１は、図３に示すように、Ｔ字形状のカム孔１ａを有し、該カム孔１ａに上記連結ピン１７ａが挿通される。連結ピン１７ａには一方の脚部が錠ケース７側に連結されるクリックスプリング１８の他方の脚部が連結され、これらクリックスプリング１８とカム孔１ａの作用により、デッドボルト１は、いずれか一端が錠ケース７から飛び出し、他端が錠ケース７内に収容される姿勢のみを取ることができる。なお、理解を容易にするために、図３においては、思案点におけるデッドボルト１が示されている。
【００１５】
したがってこの実施の形態において、サムターン１３、あるいはシリンダ錠１４のロータに回転操作を加えると、レバー片１７、１７’がサムターン１３、およびロータの回転中心Ｃと同軸周りに回転する。レバー片１７、１７’の回転に伴う連結ピン１７ａの移動と、クリックスプリング１８の復元力とによってデッドボルト１は、ドア枠１１側のストライク１２に係止する施錠位置と、該ストライク１２から脱離する解錠位置のいずれか一方に移動する。
【００１６】
さらに、上記軸体８には伝達レバー（動作部２）が連結される。図４に示すように、伝達レバー２は、軸体８に形成される正方形断面部８ａに嵌合する正方形嵌合凹部（固定部９）を有して軸体８に対して空転不能に連結される。この伝達レバー２には、後述するように、勝手違いへの対応を可能にするために、正方形嵌合凹部９に対して点対称位置に一対のワイヤ５の連結部１０が形成される。
【００１７】
一方、補助錠装置３’は、図５に示すように、錠ケース７’内にデッドボルト１を移動自在に装着して形成される。この実施の形態において、補助錠装置３’は、可能な限り、主錠装置３との間で部品の共用化を図られており、以下、主錠装置３との間で共用化される部品については、図中に同一符号を付して示す。
【００１８】
また、補助錠装置３’は、サムターン１３、あるいはシリンダ錠１４によるデッドボルト１の直接操作が必要ないために、錠ケース７’は、サムターン挿入孔７ａ（図２参照）が開設されないものが使用され、さらに、伝達レバー２への伝力部材として必要な軸体８’には、長手方向寸法が短寸のものが使用される。
【００１９】
以上のように構成される主錠装置３と補助錠装置３’とは、図１に示すように、主錠装置３がドア１５の回転端縁に向けてデッドボルト１が進退するように縦置きに、補助錠装置３’がドア１５の上端縁に向けてデッドボルト１が進退するように横置きにそれぞれ固定され、さらに、主錠装置３と補助錠装置３’とがケーブル６により連結される。
【００２０】
ケーブル６は、外部パイプ４内に金属製のワイヤ５を摺動自在に挿通させて形成され、ワイヤ５の両端に固定される連結ピース５ａを介して伝達レバー２の連結部１０に相対回転自在に連結される。
【００２１】
また、上記ケーブル６の外部パイプ４の両端には係止部４ａが膨隆され、錠ケース７の側壁に係止、固定される。後述するように、主錠装置３、および補助錠装置３’の配置が変化してもケーブル６の係止部４ａを係止可能なように、錠ケース７の対向する２片の短辺壁には係止切欠１９が対向位置に設けられる。さらに、長辺壁における係止切欠１９は、長辺壁に沿って固定される補助プレート２０として係止切欠１９を備えたものを使用するか否かにより選択される。図５においては、係止切欠１９を備えた補助プレートには２０を、備えない補助プレートには２０’が付番されて区別されている。
【００２２】
したがってこの実施の形態において、図１に示すように、主錠装置３と補助錠装置３’の双方のデッドボルト１がドア枠１１のストライク１２側に突出して係止する施錠状態から解錠状態への移行は、主錠装置３のサムターン１３、あるいはシリンダ錠１４を図１（ｂ）において時計回りに回転操作して行われる。サムターン１３等の回転により、図６に示すように、主錠装置３のデッドボルト１がストライク１２から脱離するとともに、伝達レバー２もケーブル６の動作部２が下方に移動する方向に回転する。伝達レバー２の回転によりケーブル６のワイヤ５により下方に引かれた補助錠装置３’側の伝達レバー２は反時計方向に回転する結果、補助錠装置３’側のデッドボルト１も対応するストライク１２から脱離し、ドア１５を開放することができる。
【００２３】
また、この状態から再び主錠装置３に施錠操作を加えると、補助錠装置３’の伝達レバー２はケーブル６のワイヤ５により上方に押し上げられる結果、当該補助錠装置３’も施錠状態に移行する。
【００２４】
なお、図１、およびこれを再掲した図７（ａ）において主錠装置３は、反時計方向への回動により施錠されるが、主錠装置３を１８０゜回転させると、回動方向が反対になるため、好みの操作方向に設定することができる。また、ケーブル６の引き出し位置が補助錠装置３’のケーブル６引き出し位置から離れて位置するように設置されているが、主錠装置３を１８０°回転させた後、ケーブル６の係止部４ａを反対位置に係止させるだけで、図７（ｂ）に示すように、ケーブル６の引き出し位置を変更することができる。
【００２５】
また、図１において、補助錠装置３’は、デッドボルト１がドア１５の上縁側に突出するように、横姿勢で固定されているが、図８に示すように、ドア１５の開放端縁側にデッドボルト１が突出するように、縦姿勢で固定することもできる。この場合も、ケーブル６の係止部４ａの位置を変更し、さらに伝達レバー２の取付姿勢を変更するだけで達成できる。なお、図８（ａ）は図７（ａ）に、図８（ｂ）は図７（ｂ）に対応する。
【００２６】
さらに、以上においては、各図の左側にドア回転中心がある場合を示したが、回転中心が右側、すなわち、勝手違いの場合には、図７（ａ）と図９（ａ）とを比較するとわかるように、まず、主錠装置３は、図７（ａ）において解錠位置を施錠位置としてそのまま使用することが可能である。
【００２７】
さらに、図９（ａ）と（ｂ）との比較のように主錠装置３を１８０゜回転させた場合は、勝手が違ってもサムターン１３または、シリンダ錠１４による施解錠操作方向は同一となるため、操作に戸惑うことがない。
【００２８】
また、補助錠装置３’は、ワイヤ５の引張方向の駆動によりデッドボルト１を突出させるために、ワイヤ５を伝達レバー２の右側に連結するだけでそのまま使用可能である。　この関係は、図７（ｂ）〜図８の場合も同様であり、図９（ｂ）は図７（ｂ）の勝手違い、図９（ｃ）は図８（ａ）の、図９（ｄ）は図８（ｂ）の勝手違いを示す。
【００２９】
【発明の効果】
以上の説明から明らかなように、本発明によれば、錠装置の複数を自由に配置することのできるために、防犯性能を向上させることができる上に、設置作業性も向上する。
【図面の簡単な説明】
【図１】本発明を示す図で、（ａ）は側面図、（ｂ）は正面図である。
【図２】主錠装置を示す断面図である。
【図３】デッドボルトの動作を示す図である。
【図４】図２の４Ａ方向矢視図である。
【図５】補助錠装置を示す図で、（ａ）は裏面図、（ｂ）は（ａ）の５Ｂ−５Ｂ線断面図である。
【図６】図１の解錠状態を示す図である。
【図７】図１の変形例を示す図である。
【図８】図１の他の変形例を示す図である。
【図９】図１のさらに他の変形例を示す図である。
【符号の説明】
１　　　　施錠体
２　　　　動作部
３　　　　錠装置
４　　　　外部パイプ
５　　　　ワイヤ
６　　　　ケーブル
７　　　　錠ケース
８　　　　軸体
９　　　　固定部
１０　　　連結部
【図１】
2004124557.tif 000003
【図２】
2004124557.tif 000004
【図３】
2004124557.tif 000005
【図４】
2004124557.tif 000006
【図５】
2004124557.tif 000007
【図６】
2004124557.tif 000008
【図７】
2004124557.tif 000009
【図８】
2004124557.tif 000010
【図９】
2004124557.tif 000011